【手続補正書】
【提出日】平成17年2月8日(2005.2.8)
【手続補正１】
【補正対象書類名】明細書
【補正対象項目名】特許請求の範囲
【補正方法】変更
【補正の内容】
【特許請求の範囲】
【請求項１】
観察したい生体試料に対して外部からの刺激がなく、自然な状態で観察するために、透明体もしくは着色されている透明体のゲル状溶液を前記観察したい生体試料の表面に塗布することにより、前記観察したい生体試料の表面より効率よく内部側にある細胞内の血管、血流、細胞組織状態を観察できることを特徴とした観察光学機器。
【請求項２】
前記観察したい生体試料に対して外部からの刺激がなく、自然な状態で効率よく観察し且つ操作性を良くするために、前記観察したい生体試料と光学機器の対物レンズの距離を離して非接触で観察ができることを特徴とした請求項１に記載の観察光学機器。
【手続補正２】
【補正対象書類名】明細書
【補正対象項目名】発明の名称
【補正方法】変更
【補正の内容】
【発明の名称】血管・血流・細胞組織の観察光学機器
【手続補正３】
【補正対象書類名】明細書
【補正対象項目名】０００１
【補正方法】変更
【補正の内容】
【０００１】【発明の属する技能分野】  本発明は色々な生体の細胞内にある血管、血流、細胞組織を外部からの刺激がなく、自然な状態で効率よく観察するための観察光学機器に関するものである。
【手続補正４】
【補正対象書類名】明細書
【補正対象項目名】０００２
【補正方法】変更
【補正の内容】
【０００２】【従来の技術】  従来の生体の細胞内にある血管、血流、細胞組織の観察は、物理的に前記細胞組織を体内から採取したり、前記血管、血流を観察するために皮膚をはがしたり傷つけたりして光学機器などを用いて拡大観察していた。また従来の観察光学機器として特許公開平１１−２９９７６１、特許公開２０００−２０６１１８の観察内容は、高輝度の照明を必要としているために生体に対する外部からの刺激が多く、コストもかかり、前記観察光学機器もコンパクトに一体化出来ず、さらに単純に生体の側部より光を照射しているために生体の表面から発する反射光がノイズとなり内部の血管、血流や細胞組織の鮮明な観察が困難であった。
【手続補正５】
【補正対象書類名】明細書
【補正対象項目名】０００３
【補正方法】変更
【補正の内容】
【０００３】【発明が解決するための手段】  以上に述べた従来の方法だと、生体の細胞内にある血管、血流、細胞組織に対する外部からの刺激により形而変化をおこして自然のままの観察ができず、また観察試料の表面上での反射により内部の細胞組織や血管、血流の観察が困難であり、さらに前記観察試料の内側に光が入りにくいために高輝度の光が必要とされ、また前記高輝度の光の熱により前記生体の細胞内にある血管、血流、細胞組織が刺激を受けてしまうため、自然の状態でうまく観察できずに観察結果や解析結果は得られなかった。本発明は、このような従来の構成が有していた問題を解決しようとするものであり、その目的とするところは、観察したい生体の細胞内にある血管、血流、細胞組織に対して非接触で且つ外部からの刺激により形而変化をおこさないように効率のよい観察や正確な解析を可能とする観察光学機器を提供することである。
【手続補正６】
【補正対象書類名】明細書
【補正対象項目名】０００４
【補正方法】変更
【補正の内容】
【０００４】【課題を解決するための手段】  上記の課題を解決するために請求項１、請求項２に記載の発明は、観察したい生体の細胞内にある血管、血流、細胞組織に対して観察する光学機器（観察試料と対物レンズの距離が取れるもの、例えば実体顕微鏡・生物顕微鏡  等）を設定し、前記観察試料の表面に焦点を合わせ、光を対物レンズの外側からもしくは、対物レンズの内側から前記観察試料に照射し、前記観察試料の表面に透明体もしくは着色されている透明体のゲル状溶液を塗布することにより今まで解決できなかった表面の反射光がキャンセルされ、さらに前記透明体もしくは着色されている透明体のゲル状溶液により少ない光量でも生体の細胞内の内側に前記光を効率よく導き、さらには前記透明体もしくは着色されている透明体のゲル状溶液によってレンズ効果をもたらしてはっきりとした高解像の前記生体の細胞内にある血管、血流、細胞組織の観察画像が浮かび上がって見えてくる。また前記観察試料に対して光学機器の対物レンズを離して非接触観察ができることで操作が扱いやすく、さらに前記観察試料に対する物理的な刺激もなく自然の状態での観察が可能となり、正確な形而変化を観察できるようになった今までにない新しい観察光学機器により上記課題を解決している。
【手続補正７】
【補正対象書類名】明細書
【補正対象項目名】０００６
【補正方法】変更
【補正の内容】
【０００６】  図１は、本考案の一実施例を適用した観察光学機器（ズーム式顕微鏡）で人の指先の細胞内にある血管、血流、細胞組織の観察概要を模式的に示す構成説明図である。
【手続補正８】
【補正対象書類名】明細書
【補正対象項目名】０００７
【補正方法】変更
【補正の内容】
【０００７】  即ち、図１に示す実施例装置の構成において、本発明に係る生体の細胞内にある血管、血流、細胞組織の観察光学機器の構成は、人の指（人の指の爪と皮膚との境界線に近い部分）１２の表面に透明体のゲル状溶液１１を塗布して観察したい視野を設定する。前記観察したい視野に光源２３と光ファイバー１５で対物レンズ１６の回りから光１４を照射する。前記透明体のゲル状溶液１１の効果により前記観察したい視野の表面反射がキャンセルされ、さらに前記透明体のゲル状溶液１１が前記光１４を細胞内の内側に効率良く導き、さらにはレンズ効果をもたらして鮮明な画像１３・Ａをズーム式顕微鏡１８で捕らえる。前記ズーム式顕微鏡１８で捕らえた前記鮮明な画像１３・Ａは、前記対物レンズ１６およびズームレンズ１９で光学的に拡大画像１３・Ｂに変換される。その前記拡大画像１３・ＢをＣＣＤカメラ２５でとらえて電気的カラー映像信号１３・Ｃに変換し、接続しているＣＣＤカメラケーブル２７とＣＣＤカメラコントロールインターフェイス基盤２９を通してパーソナルコンピュータ３０に前記電気的カラー映像信号１３・Ｃを取り込み、前記パーソナルコンピュータ３０から前記電気的カラー映像信号１３・Ｃを表示するモニターＴＶ３２に再現する構成である。
【手続補正９】
【補正対象書類名】明細書
【補正対象項目名】０００８
【補正方法】変更
【補正の内容】
【０００８】  ここで、前記透明体のゲル状溶液１１は着色があっても良いが、なるべく気泡の少ないものが好ましい。また生体の細胞内にある血管、血流、細胞組織の観察において、試料の内容や目的にあわせて前記透明体のゲル状溶液１１は透明体だけでなく、赤色、青色、緑色など着色した半透明体のゲル状溶液や成分を加えたゲル状溶液、例えば発光体成分を加えたゲル状溶液などでもかまわない。
【手続補正１０】
【補正対象書類名】明細書
【補正対象項目名】０００９
【補正方法】変更
【補正の内容】
【０００９】  ここで、前記光源２３は、ＡＣ電源をＤＣに変えるスイッチング電源２１とランプ（例えばハロゲンランプ）２４と熱線をカットする熱線カットフィルター２２、さらにランプ２４から出力された前記光１４を前記透明体のゲル状溶液１１まで導き、照射する前記光ファイバー１５から構成されている。また前記透明体のゲル状溶液１１により高輝度の光を必要としていないため試料の内容や目的に合わせたＬＥＤ光源、例えば白色、赤色、緑色、青色、赤外、紫外ＬＥＤなどでもかまわない。
【手続補正１１】
【補正対象書類名】明細書
【補正対象項目名】００１５
【補正方法】変更
【補正の内容】
【００１５】【発明の効果】  以上説明したように請求項１、請求項２に記載の発明によれば、観察試料の表面に透明体もしくは着色されている透明体のゲル状溶液を塗布して観察したい視野を光学機器により設定し、前記観察したい視野に対物レンズの回りから光を照射した時に、前記透明体もしくは着色されている透明体のゲル状溶液によって前記観察試料の表面反射がキャンセルされて少ない光量でも効率よく細胞内の内側に前記光を導き、さらには前記透明体もしくは着色されている透明体のゲル状溶液によってレンズ効果をもたらしてはっきりとした高解像の生体の細胞内にある血管、血流、細胞組織画像が物理的な刺激もなく自然の状態で観察可能となる。  さらに前記生体の血管、血流、細胞組織に対して前記光学機器の対物レンズを離して非接触観察が可能なことで操作性が向上して前記生体の血管、血流、細胞組織に対する物理的な刺激もなく、自然の状態での観察が可能となり、また外部の刺激に対する正確な形而変化の観察が可能となり、前記光学機器でとらえた前記高解像の生体の細胞内にある血管、血流、細胞組織画像は光学的に拡大画像に変換されて前記拡大画像をＣＣＤカメラで電気的カラー映像信号に変換してＣＣＤカメラケーブルと接続しているＣＣＤカメラコントロールインターフェイス基盤を通してパーソナルコンピュータに取り込み、前記電気的カラー映像信号を表示するモニターＴＶ上に鮮明に再現し、例えば臨床実験による形而変化の確認、多数病気の早期発見、など診断・検査が行うことができる今までない優れた効果のある新しい観察光学機器の提供が可能となる。